(57)【特許請求の範囲】
【請求項１】
２回折り畳み可能なベビーカーであって、
２つの側部に位置する側部支持組立体と、該２つの側部の該側部支持組立体間に連結された少なくとも１つの横支柱とを備え、各側部の該側部支持組立体が、互いに回転可能に連結されたプッシュ・ロッド、前輪支持体、および後輪支持体を備え、各横支柱が、第１の横折り畳み回転点および第２の横折り畳み回転点を有し、
該側部支持組立体が第１の折り畳み状態のとき、同じ側部に位置する該プッシュ・ロッド、該前輪支持体、および該後輪支持体が回転されて閉じた状態になり、前記第１の横折り畳み回転点における回転軸および前記第２の横折り畳み回転点における回転軸は、共に該側部支持組立体の長さ方向に対して垂直方向になっており、
該第１の折り畳み状態の該２つの側部の該側部支持組立体が、それぞれ該第１の横折り畳み回転点および該第２の横折り畳み回転点周りに回転されて、反対の方向に折り畳まれ互いに近づけられることを特徴とする、ベビーカー。
【請求項２】
前記横支柱の前記第１の横折り畳み回転点が該横支柱の端部に位置し、前記第２の横折り畳み回転点が該横支柱の２つの端部間に位置することを特徴とする、請求項１記載のベビーカー。
【請求項３】
前記第１の折り畳み状態の前記２つの側部の前記側部支持組立体が、それぞれ前記第１の横折り畳み回転点および前記第２の横折り畳み回転点周りに反対の方向に回転されて折り畳まれて第２の折り畳み状態になり、該第２の折り畳み状態では、一方の該側部支持組立体が、該第１の横折り畳み回転点周りに回転されて折り畳まれ前記横支柱に近づけられており、他方の側部の該側部支持組立体が、該第２の横折り畳み回転点周りに回転されて折り畳まれ該一方の該側部支持組立体に近づけられていることを特徴とする、請求項２記載のベビーカー。
【請求項４】
前記横支柱の前記第１の横折り畳み回転点が、該横支柱の一方の端部に位置し、前記第２の横折り畳み回転点が、該横支柱の他方の端部に位置することを特徴とする、請求項１記載のベビーカー。
【請求項５】
前記第１の折り畳み状態の前記２つの側部の前記側部支持組立体が、それぞれ前記第１の横折り畳み回転点および前記第２の横折り畳み回転点周りに反対の方向に回転されて折り畳まれて第２の折り畳み状態になり、該第２の折り畳み状態では、一方の側部の該側部支持組立体が、該第１の横折り畳み回転点周りに回転されて折り畳まれ前記横支柱と接触しており、他方の側部の該側部支持組立体が、該第２の横折り畳み回転点周りに回転されて折り畳まれ該横支柱と接触していることを特徴とする、請求項４記載のベビーカー。
【請求項６】
前記横支柱の前記第１の横折り畳み回転点と前記第２の横折り畳み回転点との両方が、該横支柱の２つの端部間に位置することを特徴とする、請求項１記載のベビーカー。
【請求項７】
前記第１の横折り畳み回転点から前記横支柱の隣接する端部までの距離と前記第２の横折り畳み回転点から前記横支柱の隣接する端部までの距離とが等しくなく、該隣接する端部からより長く距離が空いている該横折り畳み回転点から対応する該隣接する端部までの横支柱区分と、該第１の横折り畳み回転点から該第２の横折り畳み回転点までの横支柱区分との間の角度が、９０°以下であることを特徴とする、請求項６記載のベビーカー。
【請求項８】
前記２つの側部の前記側部支持組立体間に連結された前記横支柱の数が少なくとも２つであり、前記第１の折り畳み状態では、すべての横支柱の前記第１の横折り畳み回転点が、該横支柱の長さ方向に対して垂直な方向に同一線上にあり、すべての横支柱の前記第２の横折り畳み回転点が、該横支柱の長さ方向に対して垂直な方向に同一線上にあること特徴とする、請求項２から７のいずれか一項記載のベビーカー。
【請求項９】
横支柱が、前記２つの側部の前記前輪支持体間に連結される、
および／または
横支柱が、前記２つの側部の前記後輪支持体間に連結される、
および／または
横支柱が、前記２つの側部の前記プッシュ・ロッド間に連結される
ことを特徴とする、請求項１記載のベビーカー。
【請求項１０】
各側部の前記側部支持組立体が、前記前輪支持体の前端部にその一方の端部が回転可能に連結された前輪支持体コネクタをさらに備え、横支柱が、前記２つの側部の該前輪支持体コネクタの他方の端部間に連結されることを特徴とする、請求項１記載のベビーカー。
【請求項１１】
前記第１の折り畳み状態では、前記前輪支持体コネクタが前記前輪支持体に対して前方に回されることを特徴とする、請求項１０記載のベビーカー。
【請求項１２】
前記前輪支持体に回転可能に連結された前輪組立体と、前記後輪支持体に回転可能に連結された後輪組立体とをさらに備え、前記第１の折り畳み状態では、前記前輪組立体および該後輪組立体が反対方向に回転され、閉じた状態の前記前輪支持体と該後輪支持体との間に位置するように折り畳まれることを特徴とする、請求項１から７および９から１１のいずれか一項記載のベビーカー。
【請求項１３】
前記プッシュ・ロッドが、伸張可能なプッシュ・ロッドであることを特徴とする、請求項１から７および９から１１のいずれか一項記載のベビーカー。
【請求項１４】
各側部の前記プッシュ・ロッド、前記前輪支持体、および前記後輪支持体が、フレーム・コネクタを介して連結され、各側部の該プッシュ・ロッド、該前輪支持体、および該後輪支持体のうちの少なくとも２つが、該フレーム・コネクタに回転可能に連結されることを特徴とする、請求項１から７および９から１１のいずれか一項記載のベビーカー。
【発明の詳細な説明】
【技術分野】
【０００１】
本開示は子供用製品の分野に属し、特に２回折り畳み可能なベビーカーに関する。
【背景技術】
【０００２】
子供用ベビーカーの製品は広く使用されている。実際、子供をベビーカーに乗せて歩くことは人々にとって便利である。しかし、通常使用状態のベビーカーは一般に車両のトランクに入れることができないなど、ベビーカーが持ち運びまたは保管されるときにベビーカー本体全体が過剰に大きい容積を占有するという課題に人々は直面することが多い。
【０００３】
この課題を解決するために、多くの既存のベビーカーは折り畳み機構を有しているが、これらのベビーカーはせいぜい１回の折り畳みしか実現することができない。実際には、１つの方向にしか折り畳むことができないベビーカーは、依然として過剰に長い空間を占有するという課題に直面することになり、このことは、容積に関する使用者の要求を依然として完全に満足させ得るものではない。
【発明の概要】
【発明が解決しようとする課題】
【０００４】
したがって、本開示は、折り畳み状態で占有される容積をさらに減らすために２回折り畳むことができる２回折り畳み可能なベビーカーを提供する。
【課題を解決するための手段】
【０００５】
上記の目標を実現するために、本開示は、２回折り畳み可能なベビーカーであって、２つの側部に位置する側部支持組立体と、２つの側部の側部支持組立体間に連結された少なくとも１つの横支柱とを備え、各側部の側部支持組立体が、互いに回転可能に連結されたプッシュ・ロッド、前輪支持体、および後輪支持体を備え、各横支柱が、第１の横折り畳み回転点および第２の横折り畳み回転点を有する、ベビーカーを提供する。
【０００６】
側部支持組立体が第１の折り畳み状態のとき、同じ側部に位置するプッシュ・ロッド、前輪支持体、および後輪支持体は回転されて閉じた状態になり、第１の折り畳み状態の２つの測部の側部支持組立体は、それぞれ第１の横折り畳み回転点および第２の横折り畳み回転点周りに回転されて、反対の方向に折り畳まれ互いに近づけられる。
【０００７】
好ましい実装形態では、横支柱の第１の横折り畳み回転点が横支柱の端部に位置し、第２の横折り畳み回転点が横支柱の２つの端部間に位置する。
【０００８】
好ましい実装形態では、第１の折り畳み状態の２つの側部の側部支持組立体が、それぞれ第１の横折り畳み回転点および第２の横折り畳み回転点周りに反対の方向に回転されて折り畳まれて第２の折り畳み状態になり、第２の折り畳み状態では、一方の側部支持組立体が、第１の横折り畳み回転点周りに回転されて折り畳まれ横支柱と接触しており、他方の側部の側部支持組立体が、第２の横折り畳み回転点周りに回転されて折り畳まれ一方の側部支持組立体と接触している。
【０００９】
好ましい実装形態では、横支柱の第１の横折り畳み回転点が、横支柱の一方の端部に位置し、第２の横折り畳み回転点が、横支柱の他方の端部に位置する。
【００１０】
好ましい実装形態では、第１の折り畳み状態の２つの側部の側部支持組立体が、それぞれ第１の横折り畳み回転点および第２の横折り畳み回転点周りに回転されて反対方向に折り畳まれて第２の折り畳み状態になり、第２の折り畳み状態では、一方の側部支持組立体が、第１の横折り畳み回転点周りに回転されて折り畳まれ横支柱と接触しており、他方の側部支持組立体が、第２の横折り畳み回転点周りに回転されて折り畳まれ横支柱と接触している。
【００１１】
好ましい実装形態では、横支柱の第１の横折り畳み回転点と第２の横折り畳み回転点との両方が、横支柱の２つの端部間に位置する。
【００１２】
好ましい実装形態では、第１の横折り畳み回転点および第２の横折り畳み回転点からそれらの隣接する端部までの距離が等しくなく、隣接する端部からより長く距離が空いている横折り畳み回転点から対応する隣接する端部までの横支柱区分と、第１の横折り畳み回転点から第２の横折り畳み回転点までの横支柱区分との間の角度が、９０°以下である。
【００１３】
好ましい実装形態では、２つの側部の側部支持組立体間に連結された横支柱の数が少なくとも２つであり、第１の折り畳み状態では、すべての横支柱の第１の横折り畳み回転点が、横支柱の長さ方向に対して垂直な方向に同一線上にあり、すべての横支柱の第２の横折り畳み回転点が、横支柱の長さ方向に対して垂直な方向に同一線上にある。
【００１４】
好ましい実施形態では、
横支柱が、２つの側部の前輪支持体間に連結される、
および／または
横支柱が、２つの側部の後輪支持体間に連結される、
および／または
横支柱が、２つの側部のプッシュ・ロッド間に連結される。
【００１５】
好ましい実装形態では、各側部の側部支持組立体が、前輪支持体の前端部にその一方の端部が回転可能に連結された前輪支持体コネクタをさらに備え、横支柱が、２つの側部の前輪支持体コネクタの他方の端部間に連結される。
【００１６】
好ましい実装形態では、第１の折り畳み状態において、前輪支持体コネクタが前輪支持体に対して前方に回される。
【００１７】
好ましい実装形態では、ベビーカーは、後輪支持体に回転可能に連結された後輪組立体をさらに備え、第１の折り畳み状態では、前輪組立体および後輪組立体が反対方向に回転され、閉じた状態の前輪支持体と後輪支持体との間に位置するように折り畳まれる。
【００１８】
好ましい実装形態では、プッシュ・ロッドが、伸張可能なプッシュ・ロッドである。
【００１９】
好ましい実装形態では、各側部のプッシュ・ロッド、前輪支持体、および後輪支持体が、フレーム・コネクタを介して連結され、各側部のプッシュ・ロッド、前輪支持体、および後輪支持体のうちの少なくとも２つが、フレーム・コネクタに回転可能に連結される。
【００２０】
したがって、本開示の実施形態によって提供されるベビーカーは、２つの側部支持組立体の第１の折り畳みだけではなく、第２の折り畳みも実現することができ、それによりこれらの状態でベビーカー全体により占有される容積を減らす。
【図面の簡単な説明】
【００２１】
本開示の実施形態における、または従来技術における技術的解決策をより明確に説明するために、実施形態または従来技術を記述するために使用される添付図面が、以下で簡単に紹介される。明らかに、以下に記述される図面は単に本開示の実施形態の一部を示すに過ぎず、当業者であれば創造的作業を行うことなく、添付図面に従う他の図面を得ることができる。 
【００２２】
【図１】本開示の実施形態により提供される使用状態のベビーカーをある角度から見た概略図である。
【図２】別の角度から見たベビーカーの概略図である。
【図３】本開示の実施形態において第１の折り畳み過程中のベビーカーのそれぞれの構造体の回転方向を示す概略図である。
【図４】本開示の実施形態において第１の折り畳み状態であるベビーカーの概略図である。
【図５】本開示の実施形態において第２の折り畳み過程中のベビーカーのそれぞれの構造体の回転方向を示す概略図である。
【図６】本開示の実施形態において第２の折り畳み状態であるベビーカーの概略図である。
【図７】別の角度から見た図６のベビーカーの概略図である。
【発明を実施するための形態】
【００２３】
本開示の目的、技術的解決策、および利点を明確にするために、以下では本開示の実施形態の技術的解決策が、添付図面と組み合わせて明確かつ完全に説明されるが、記述される実施形態は本開示の実施形態の一部に過ぎず、すべての実施形態ではないことは明らかである。本開示の実施形態に基づいて創造的作業を行うことなく当業者によって得られるすべての他の実施形態は、本発明の保護範囲に属する。
【００２４】
図１は、本開示の実施形態によって提供される使用状態にある２回折り畳み可能なベビーカーをある角度から見た概略図を示し、図２は、別の角度から見たベビーカーの概略図を示す。使用状態のベビーカーは折り畳まれていない状態にあり、ベビーカー全体が使用者によって押され使用され得る。
【００２５】
ベビーカーは、２つの側部に位置する側部支持組立体と、２つの側部の側部支持組立体を連結する少なくとも１つの横支柱とを備える。図１および図２に示されるように、ベビーカーの各側部の側部支持組立体は、互いに回転可能に連結された前輪支持体（２７、２８）、後輪支持体（２６、２０）、およびプッシュ・ロッドを備える。前輪支持体２７および後輪支持体２６が同じ側部に位置し、前輪支持体２８および後輪支持体２０が同じ側部に位置する。図１および図２において、プッシュ・ロッドは、具体的には図１および図２に示される引出し式プッシュ・ロッドなどの長さ伸張可能なプッシュ・ロッドを用いており、特に、一方の側部のプッシュ・ロッドは引出し式プッシュ・ロッド（１１、１２、１３、１４）から成り、他方の側部のプッシュ・ロッドは引出し式プッシュ・ロッド（８、７、６、５）から成り、引出し式プッシュ・ロッド１１、１２、および１３は、より大きい直径を有する引出し式プッシュ・ロッド１４内に引き込まれ得、引出し式プッシュ・ロッド８、７、および６は、より大きい直径を有する引出し式プッシュ・ロッド５内に引き込まれ得る。図１および図２の長さ伸張可能なプッシュ・ロッドと同様のプッシュ・ロッドを設計することは、折り畳み過程中にベビーカー全体によって占有される空間容積をさらに減らすのにより有益である。
【００２６】
図１および図２では、合計３つの横支柱が設けられ、それぞれ２つの側部の前輪支持体間、２つの側部の後輪支持体間、および２つの側部のプッシュ・ロッド間に設けられる。
【００２７】
特に、後輪支持体の横支柱２３は後輪支持体２６と後輪支持体２５の間に連結され、横プッシュ・ハンドル９１０（横支柱にも相当する）は引出し式プッシュ・ロッド８と１１の間に設けられる。
【００２８】
通常のベビーカーを設計するとき前輪支持体の長さが短いことを考慮して、図１に示される１８１および１８２などの前輪支持体コネクタが、各側部において前輪支持体の前端部に回転可能に連結されてもよく、具体的には、それぞれ回転可能な連結の実現を補助する回転点Ｃ１およびＣ２を介して連結されてもよく、次いで前輪支持体コネクタ１８１および１８２の他方の端部間に横支柱３１７が設けられる。折り畳まれていない状態では、前輪支持体コネクタ１８１および１８２は、子供の足置きとして使用するため、かつフレームの強度を向上させるために、それぞれの前輪支持体に近づけられる。第１の折り畳み中、前輪支持体コネクタ１８１および１８２はそれぞれの前輪支持体２７に対して前方に回されて、前輪支持体の長さを伸ばすという目的を実現することができる。さらに、本開示では、それぞれの前輪支持体に対して前輪支持体コネクタ１８１および１８２が前方に回された後、横支柱３１７が、後輪支持体横支柱２３およびプッシュ・ハンドル９１０に近づけられてもよい。
【００２９】
横支柱を、前輪支持体コネクタ間、後輪支持体間、およびプッシュ・ロッド間に配置することは単なる具体例に過ぎず、横支柱の主な機能が２つの側部の側部支持組立体をともに結び付けてベビーカーの基礎フレームを形成し、一定の機械的強度を満たすことであることは、当業者にとって明らかである。代替的な実施形態では、上記の横支柱は、前輪支持体コネクタ間、または後輪支持体間に、すなわち前輪支持体横支柱３１７または後輪支持体横支柱２３だけが設けられるなど、１つのみが設けられてもよく、２つの側部のプッシュ・ロッドは互いに連結されなくてもよく、２つの側部のプッシュ・ロッドの上端部はプッシュ・ハンドルになるように設計される。代替的な実施形態では、上記の横支柱は２つ設けられてもよく、例えば、前輪支持体間および後輪支持体間に、すなわち前輪支持体横支柱３１７および後輪支持体横支柱２３の両方が設けられてもよい。図１および図２において２つの側部のプッシュ・ロッド間に横支柱（図１および図２の横プッシュ・ハンドル９１０）をプッシュ・ロッドの上端部に設けることは、単なる具体例に過ぎず、実際には、横支柱の２つの端部は他の位置に連結されてよく、この場合には横支柱は支持体としてのみ作用するが、図１および図２に示される実施形態では、横支柱はさらにプッシュ・ハンドルとしての役目を果たし得ることに留意すべきである。
【００３０】
図１および図２では、プッシュ・ロッド、前輪支持体、および後輪支持体の回転可能な連結は、各側部のフレーム・コネクタを介して実現される。特に、引出し式プッシュ・ロッド（１１、１２、１３、１４）により形成されるプッシュ・ロッド、前輪支持体２８、および後輪支持体２０は、フレーム・コネクタ１５を介して互いに対して回転可能であり、引出し式プッシュ・ロッド（８、７、６、５）、前輪支持体２７、および後輪支持体２６は、フレーム・コネクタ４を介して互いに対して回転可能である。
【００３１】
具体例として、図１および図２に示されるように、各フレーム・コネクタは２つの回転中心を有し、プッシュ・ロッドおよび前輪支持体は、それぞれ２つの回転中心を介してフレーム・コネクタに回転可能に連結され得、後輪支持体はフレーム・コネクタに固定して連結され、特に、引出し式プッシュ・ロッド１４および前輪支持体２８は、それぞれ回転中心Ａ２およびＢ２を介してフレーム・コネクタ１５に回転可能に連結され、引出し式プッシュ・ロッド５および前輪支持体２７は、それぞれ回転中心Ａ１およびＢ１を介してフレーム・コネクタ４に回転可能に連結され、後輪支持体２０はフレーム・コネクタ１５に固定して連結され、後輪支持体２６はフレーム・コネクタ４に固定して連結される。他の実施形態では、代替的に前輪支持体がフレーム・コネクタに固定して連結されてもよく、後輪支持体およびプッシュ・ロッドがフレーム・コネクタに回転可能に連結されてもよく、このようにして前輪支持体と後輪支持体とプッシュ・ロッドの相対回転が実現されてもよいことに留意すべきである。当然ながら、他の実施形態では、代替的にプッシュ・ロッドがフレーム・コネクタに固定して連結されてもよく、前輪支持体および後輪支持体がフレーム・コネクタに回転可能に連結されてもよい。
【００３２】
さらに、ベビーカーは前輪組立体および後輪組立体も備える。
【００３３】
一方の側部に配置された前輪組立体は、互いに連結された前輪１および前輪コネクタ２を備え、他方の側部に配置された前輪組立体は、互いに連結された前輪１９および前輪コネクタ１６を備える。前輪コネクタ２および前輪支持体コネクタ１８１は、点Ｃ１を介して回転可能に連結され、前輪コネクタ１６および前輪支持体コネクタ１８２は、点Ｃ２を介して回転可能に連結される。
【００３４】
一方の側部に配置された後輪組立体は、互いに連結された後輪２２および後輪コネクタ２１を備え、他方の側部に配置された後輪組立体は、互いに連結された後輪２４および後輪コネクタ２５を備える。さらに、後部コネクタ２１は、具体的には回転点Ｄ１を介して後輪支持体２０に回転可能に連結され、後部コネクタ２５は、具体的には回転点Ｄ２を介して後輪支持体２６に回転可能に連結される。
【００３５】
本実施形態のベビーカーは、占有される容積を最大限に減らすように２回折り畳むことが可能である。第１の折り畳み状態では、同じ側部に位置するプッシュ・ロッド、後輪支持体、および後輪支持体 が、閉じられた状態になるように回転される。第１の折り畳み過程中のそれぞれの構造体の回転方向の概略図を示す図３を参照すると、まず、２つの側部に位置する引出し式プッシュ・ロッドが、ロック解除された後、最短の長さまで短くされ、図３に示される引出し式プッシュ・ロッドが、最大の直径を有する引出し式プッシュ・ロッド１４内に矢印１０１の方向に沿って格納される。次いで、プッシュ・ロッドが、矢印１０２の方向に沿って後輪支持体２０に向かって回転点Ａ２周りに回転され、後輪支持体２０に近づけられ、図３には示されていない他方の側部に位置するプッシュ・ロッドも、他方の側部の後輪支持体に向かって対応する点周りに回転され、閉じられる。次に、後輪２２および後輪コネクタ２１によって形成される後輪組立体が、矢印１０３の方向に沿って後輪支持体２０に向かって回転点Ｄ１周りに回転され、後輪支持体２０に近づけられる。次いで、前輪コネクタ１８１および１８２が、矢印１０４の方向に沿って前方にそれぞれ回転点Ｃ１およびＣ２周りに回転され、前輪支持体２７および２８とほぼ同一線上にもたらされる。最後に、前輪支持体２８が、矢印１０５の方向に沿って後輪支持体２０に向かって回転点Ｂ２周りに回転される。こうして、前輪組立体および後輪組立体が反対の方向に回転され、閉じた状態にある前輪支持体と後輪支持体との間に位置するように折り畳まれて、図４に示される第１の折り畳み状態を形成する。
【００３６】
以下の第２の折り畳みを実現するために、各横支柱は、第１の横折り畳み回転点および第２の横折り畳み回転点を有し、それにより、折り畳み状態の２つの側部の側部支持組立体を、第１の横折り畳み回転点および第２の横折り畳み回転点を介して回転させて、２回折り畳むという目的を実現する。
【００３７】
また、図１および図２のベビーカーの具体的な実施形態を例として取り上げると、前輪支持体横支柱３１７は、前輪支持体コネクタ１８１と前輪支持体コネクタ１８２との間に連結され、後輪支持体横支柱２３は、後輪支持体２６と後輪支持体２５との間に連結され、横プッシュ・ハンドル９１０は、引出し式プッシュ・ロッド８と１１の間に設けられる。ベビーカーが、図４に示される第１の折り畳み状態に折り畳まれると、前輪支持体横支柱３１７、後輪支持体横支柱２３、および横プッシュ・ハンドル９１０は、隣同士に配置される。具体例として、本実施形態では、すべての横支柱の第１の横折り畳み回転点は横支柱の端部に位置し、第２の横折り畳み回転点と、横支柱の他方の端部との間の距離は第１の距離である。図１、図２、および図４を参照すると、横プッシュ・ハンドル９１０の第１の横折り畳み回転点Ｇ２は、横プッシュ・ハンドル９１０の一方の端部に位置し、第２の横折り畳み回転点Ｇ１は、横プッシュ・ハンドル９１０上に位置し、横プッシュ・ハンドル９１０の他方の端部から距離が空いており、このようにして横プッシュ・ハンドル９１０は、第１のプッシュ・ハンドル区分１０と第２のプッシュ・ハンドル区分９に分割される。前輪支持体横支柱３１７の第１の横折り畳み回転点Ｅ２は、前輪支持体横支柱３１７の一方の端部に位置し、第２の横折り畳み回転点Ｅ１は、前輪支持体横支柱３１７上に位置し、前輪支持体横支柱３１７の他方の端部から距離が空いており、このようにして前輪支持体横支柱３１７は、第１の前部横支柱区分１７と第２の前部横支柱区分３に分割される。後輪支持体横支柱２３の第１の横折り畳み回転点Ｆ１は、後輪支持体横支柱２３の一方の端部に位置し、第２の横折り畳み回転点Ｆ２は、後輪支持体横支柱２３上に位置し、後輪支持体横支柱２３の他方の端部から距離が空いており、このようにして後輪支持体横支柱２３は、第１の後部横支柱区分２３１と第２の後部横支柱区分２３２に分割される。
【００３８】
横支柱の数が少なくとも２つである場合には、第１の折り畳み状態において、すべての横支柱の第１の横折り畳み回転点は、横支柱の長さ方向に対して垂直な方向に同一線上またはほぼ同一線上にあり、すべての横支柱の第２の横折り畳み回転点は、横支柱の長さ方向に対して垂直な方向に同一線上またはほぼ同一線上にある。図４に示される第１の折り畳み状態の概略図を例として取り上げると、横プッシュ・ハンドル９１０の第２の横折り畳み回転点Ｇ１、前輪支持体横支柱３１７の第２の横折り畳み回転点Ｅ１、および後輪支持体横支柱２３の第２の横折り畳み回転点Ｆ２は、同一線上にある。
【００３９】
図５は、本実施形態において、第１の折り畳み状態から第２の折り畳み状態へとベビーカーの各構造体を動かす方向の概略図を示す。図５に示されるように、２つの側部の側部支持組立体は、それぞれ図５に示される矢印１０６および矢印１０７の方向に沿って回転され、側部の側部支持組立体が矢印１０６の方向に沿って回転される回転点は、横支柱の端部であり、本実施形態ではそれぞれの横支柱の第１の横折り畳み回転点である。側部の側部支持組立体が矢印１０７の方向に沿って回転される回転点は、それぞれの横支柱の第２の横折り畳み回転点である。
【００４０】
図６は、本実施形態において第２の折り畳み状態にあるベビーカーの概略図を示し、図７は、別の角度から見た第２の折り畳み状態にあるベビーカーの概略図を示し、第１の横折り畳み回転点のそばに位置するプッシュ・ロッド、前輪支持体、および後輪支持体は、回転されて折り畳まれ横支柱に近づけられており、一方、第２の横折り畳み回転点のそばに位置するプッシュ・ロッド、前輪支持体、および後輪支持体は、回転されて折り畳まれ、第１の横折り畳み回転点のそばに位置するプッシュ・ロッド、前輪支持体、および後輪支持体に近づけられていることが図６および図７からわかる。つまり、第１の横折り畳み回転点のそばに位置する側部支持組立体は、回転されて下に折り畳まれ、一方、第２の横折り畳み回転点のそばに位置する側部支持組立体は、回転されて、第１の横折り畳み回転点のそばに位置する側部支持組立体の上に折り畳まれ、最終的に３層を有する折り畳み構造体の形成が実現される。
【００４１】
本開示の他の実施形態では、横支柱の第１の横折り畳み回転点および第２の横折り畳み回転点は、それぞれ横支柱の２つの端部に位置してもよく、こうして、第１の折り畳み状態の２つの側部の側部支持組立体が、それぞれ第１の横折り畳み回転点および第２の横折り畳み回転点周りで回転されて、反対の方向に折り畳まれ、互いに近づけられることに留意すべきである。折り畳み後の体積を最小にするために、本開示においては、２つの側部の側部支持組立体がそれぞれ第１の横折り畳み回転点および第２の横折り畳み回転点周りに回転されて折り畳まれた後、２つの側部の両方の側部支持組立体が横支柱に接触し、すなわち２層を有する折り畳み構造体を形成する。
【００４２】
本開示の別の実施形態では、横支柱の第１の横折り畳み回転点と第２の横折り畳み回転点の両方が、横支柱の２つの端部間に位置し、すなわち端部ではない場所に位置する。第１の折り畳み状態の２つの側部の側部支持組立体は、それぞれ第１の横折り畳み回転点および第２の横折り畳み回転点周りに回転されることによって反対方向への折り畳みを実現することができる。本実施形態では、第１の横折り畳み回転点および第２の横折り畳み回転点は、それぞれの隣接する端部から同じ距離だけ距離が空いていてもよく、横支柱の長さは、２つの側部の側部支持体が反対方向に折り畳まれた後で２層を有する折り畳み構造体を形成するのに充分な長さである。当然ながら、折り畳み後の体積を最小にするために、第１の横折り畳み回転点および第２の横折り畳み回転点から横支柱の隣接する端部までの距離は、等しくなくてもよく、２つの側部の側部支持組立体は、それぞれ第１の横折り畳み回転点および第２の横折り畳み回転点周りに回転されて、３層を示す折り畳み状態に折り畳まれ、２つの側部の側部支持組立体は互いに上下方向で接触し、隣接する端部からより長く距離が空いている横折り畳み回転点から対応する隣接する端部までの横支柱区分と、第１の横折り畳み回転点から第２の横折り畳み回転点までの横支柱区分との間の角度は、９０°以下である。
【００４３】
したがって、本開示の実施形態により提供されるベビーカーは、第１の折り畳みだけではなく、２つの側部支持組立体の第２の折り畳みも実現することができ、それによりこれらの状態のベビーカー全体により占有される容積を減らす。
【００４４】
上の記述は本開示の好ましい実装形態に過ぎず、本開示の技術的原理から逸脱することなく多くの改良または修正が行われ得、これらの改良および修正は、本開示の保護範囲に包含されるべきであることに当業者は留意すべきである。
【図１】
0006496818.tif 000002
【図２】
0006496818.tif 000003
【図３】
0006496818.tif 000004
【図４】
0006496818.tif 000005
【図５】
0006496818.tif 000006
【図６】
0006496818.tif 000007
【図７】
0006496818.tif 000008